(57)【要約】      （修正有）【課題】従来の濾過紙式コーヒードリッパーは市販されている専用の濾過紙が必要であったが、家庭にあるキッチンペーパーを濾過紙として使用でき、レギュラーコーヒーと水出しコーヒーを淹れることができるコーヒードリッパーを提供する。【解決手段】コーヒードリッパーはドリッパー筒と濾過紙挟持筒によって濾過紙を挟持して、スタンド９によってドリッパー筒とコーヒーカップの距離を調整して支持できるためにレギュラーコーヒーと水出しコーヒーを淹れることができるものである。水出しコーヒーを淹れるときは冷水中にレギュラーコーヒー粉７が長時間保持できる高さにドリッパー筒を取り付けることができるコーヒードリッパー。【選択図】図５
2017221624.tif 000002
【特許請求の範囲】
【請求項１】
ドリッパー筒と濾過紙挟持筒と濾過紙で構成され、ドリッパー筒と濾過紙挟持筒は上下が開口であって、ドリッパー筒の下部に円錐状のリブが形成されており、ドリッパー筒と濾過紙挟持筒の間に濾過紙を置いて濾過紙を挟持しながらドリッパー筒と濾過紙挟持筒を勘合できるものであって、ドリッパー筒は下部を濾過紙によって塞がれてレギュラーコーヒー粉を入れる空間が形成される構成であって、ドリッパー筒は上部にフランジが形成されており、スタンドに取り付けたドリッパー支えによってドリッパー筒を支持することができ、ドリッパー筒とコーヒーカップの距離を調整できる支柱があるスタンドを備えたコーヒードリッパー。
【発明の詳細な説明】
【技術分野】
【０００１】  従来の濾過紙式コーヒードリッパーは市販されている漏斗状に成形された濾過紙を使用する必要があった。本発明のコーヒードリッパーは漏斗状に成形していない平面の濾過紙またはキッチンペーパーをカットしただけで使用できるものである。【０００２】  本発明のコーヒードリッパーは熱湯で淹れる通常のレギュラーコーヒーを簡単に淹れることができ、さらに冷水で水出しコーヒーを淹れることができる。
【背景技術】
【０００３】  従来の濾過紙は漏斗状に成形されており、市販されているものを購入しなければならなかった。さらに水出しコーヒーを家庭で簡単に淹れることができるコーヒードリッパーがなかった。
【発明の概要】
【発明が解決しようとする課題】
【０００４】  コーヒードリッパー用の濾過紙として家庭で一般的に使用しているキッチンペーパーをカットするだけで使用できること。【０００５】  熱湯で淹れるレギュラーコーヒーと冷水で淹れる水出しコーヒーが一つのコーヒードリッパーでできること。
【課題を解決するための手段】
【０００６】  本発明は上記課題を解決するために、ドリッパー筒、濾過紙挟持筒、および濾過紙で構成され、ドリッパー筒と濾過紙挟持筒は上下とも開口になっている。ドリッパー筒の下部は濾過紙を円錐状に保つために円錐状に形成されたリブを設けている。【０００７】  濾過紙をドリッパー筒と濾過紙挟持筒で挟み込み、レギュラーコーヒー粉を入れる空間を構成する。【０００８】  ドリッパー筒は上部にフランジを形成して、スタンドのドリッパー支えによってコーヒーカップより一定の高さに支持することができ、さらにドリッパー筒とコーヒーカップの距離を調整できるスタンドを備えたコーヒードリッパーである。
【発明の効果】
【０００９】  コーヒーカップの大きさに合わせてドリッパー筒の支持位置を調整して、ドリッパー筒がコーヒーカップの中に入らないようにしてレギュラーコーヒーを淹れることができる。【００１０】  さらに、コーヒーカップに冷水を入れて、コーヒーカップの中の冷水面より下方にレギュラーコーヒー粉が位置するようにドリッパー筒の高さを調整できるために、水出しコーヒーを淹れることができるようになった。
【発明を実施するための形態】
【実施例】
【００１１】  以下本発明の実施例を図１，２，３，４、５に基づいて説明する。図１はドリッパー筒１を示し、上下は開口２であり下部に円錐状に形成されたリブ３が設けられている。またドリッパー筒１の上部にフランジ４を設けている。【００１２】  図２は濾過紙挟持筒５を示し上下は開口２であり、ドリッパー筒１の下部に平面の濾過紙６を挟持しながら勘合することができる。【００１３】  図３はドリッパー筒１、濾過紙６、および濾過紙挟持筒５を組み合わせる方法を示す図面である。平面の濾過紙６をドリッパー筒１と濾過紙挟持筒５の間に置いて濾過紙６を挟持しながらドリッパー筒１と濾過紙挟持筒５を勘合することによって、濾過紙６は円錐状のリブ３に沿って挟持される。【００１４】  ドリッパー筒１の下部の開口２は濾過紙６によって塞がれ、レギュラーコーヒー粉７を保持する空間８が形成される。【００１５】  図４は本発明のコーヒードリッパーを示し、ドリッパー筒１を支えるスタンド９を備えている。スタンド９の支柱１０にドリッパー筒１のフランジ４部分を支持するドリッパー支え１１が取り付けられている。【００１６】  コーヒーカップ１２はドリッパー筒１の下に置かれて、ドリッパー筒１の下部がコーヒーカップ１２の中に入らない高さにドリッパー筒１を取り付けている。【００１７】  レギュラーコーヒー粉７をドリッパー筒１の空間８に入れて、熱湯を注ぐとレギュラーコーヒーを淹れることができる。【００１８】  図５は本発明のコーヒードリッパーのもう一つの使用例である。ドリッパー支え１１はスタンド９の支柱１０に設けられた複数の突起１３の位置に取り付けできるため、ドリッパー筒１の下部がコーヒーカップ１２の中に入るように取り付けて、コーヒーカップ１２に入れた冷水面１４より低い位置にレギュラーコーヒー粉７が位置するように取り付けることができる。【００１９】  このようにレギュラーコーヒー粉７を冷水に浸けながら長時間保持することができるため、数時間後には水出しコーヒーができる。【００２０】  本発明のコーヒードリッパーはドリッパー筒１をコーヒーカップ１２の大きさに合わせて高さ調整ができ、またはレギュラーコーヒーや水出しコーヒーを淹れるためにドリッパー筒１の取り付け高さを調整できるものである。
【図面の簡単な説明】
【００２１】
【図１】  本発明のドリッパー筒である。
【図２】  本発明の濾過紙挟持筒である。
【図３】  本発明のドリッパー筒と濾過紙挟持筒で濾過紙を挟持する方法の説明図である。
【図４】  本発明のコーヒードリッパーでレギュラーコーヒーを淹れる説明図である。
【図５】  本発明のコーヒードリッパーで水出しコーヒーを淹れる説明図である。
【符号の説明】
【００２２】１    ドリッパー筒                  ２    開口
３    リブ                          ４    フランジ
５    濾過紙挟持筒                  ６    濾過紙
７    レギュラーコーヒー粉          ８    空間
９    スタンド                      １０  支柱
１１  ドリッパー支え                １２  コーヒーカップ
１３  突起                          １４  冷水面
【図１】
2017221624.tif 000003
【図２】
2017221624.tif 000004
【図３】
2017221624.tif 000005
【図４】
2017221624.tif 000006
【図５】
2017221624.tif 000007